(57)【要約】【課題】  操作が容易で、かつ確実に作動する鍵孔シャッターを提供する。【解決手段】  全体の形状が半円形の厚板状のシャッター盤の一対７、７を、半円の弦である接合端縁が相互に接合して略円形の円盤を形成し、内筒の鍵孔を覆うことができるように配設し、各シャッター盤７の一端を、他端部が相互に拡開して鍵孔を露出できるように支承すると共に、捩りコイルばね１５の弾力により接合端縁が閉じる方向に付勢し、一方、各シャッター盤に外力が作用せず接合端縁が閉じた常態において、シャッター盤の外面における接合線１６が鍵孔の幅方向と直交するように各シャッター盤の鍵孔回りの角度位置を設定し、他方、常態におけるシャッター盤の外面の接合線の中央部に、接合線に沿いかつ接合線に跨がって、合鍵の鍵先を挿入可能で有底の誘導溝１８を形成する。【選択図】図１
2008069618.tif 000002
【特許請求の範囲】
【請求項１】
シリンダ錠を内蔵したシリンダ筒の外板の外側に、全体の形状が半円形の厚板状のシャッター盤の一対を、半円の弦である接合端縁が相互に接合して略円形の円盤を形成し、内筒の鍵孔を覆うことができるように配設し、各シャッター盤の一端を、他端部が相互に拡開して鍵孔を露出できるように支承すると共に、接合端縁が閉じる方向に付勢し、一方、各シャッター盤に外力が作用せず接合端縁が閉じた常態において、シャッター盤の外面における接合線が鍵孔の幅方向と直交するように各シャッター盤の鍵孔回りの角度位置を設定し、他方、常態におけるシャッター盤の外面の接合線の中央部に、接合線に沿いかつ接合線に跨がって、合鍵の鍵先を挿入可能で有底の誘導溝を形成したことを特徴とするシリンダ錠の鍵孔シャッター。
【発明の詳細な説明】
【技術分野】
【０００１】  この発明は、シリンダ錠の鍵孔シャッター（以下単に鍵孔シャッターという）に係り、特に、シャッターと合鍵が点接触をし、円滑かつ確実に作動する鍵孔シャッターに関する。
【背景技術】
【０００２】  シリンダ錠の鍵孔には、直接に雨水が侵入しないにしにしても、空気中に漂う塵埃が鍵孔内に入り、内部のタンブラーの案内部にこびり付いて作動不良の原因になることは良く知られているところである。【０００３】  そこで、合鍵を差込まない常態では鍵孔を閉じ、施解錠操作時、合鍵の先端でシャッターを開ける鍵孔シャッターとして、例えば下記特許文献１に記載されたものを挙げることができる。【０００４】  この鍵孔シャッターは、細長い一対のシャッターブレードの一端を回動可能に軸支すると共に他端部が相互に近接して鍵孔を覆うように付勢し、その一対のシャッターブレードの接合線に跨がるように形成された傾斜面を、直進する合鍵の鍵先で抉じ開けるようにしたものである。
【特許文献１】  実公平０３−０４９２５７号公報
【発明の開示】
【発明が解決しようとする課題】
【０００５】  しかして、上記特許文献１に記載の発明による鍵孔シャッターは、シャッターブレードの傾斜面に突き当てる鍵の鍵先でシャッターブレードの接合部を抉じ開けるのにコツが要るし、また、傾斜面と合鍵との間の摩擦が大きくなると、円滑な開閉が期待できない、等未だ改良の余地がある。【０００６】  そこで、この発明は、操作が容易で、かつ確実に作動する鍵孔シャッターを提供することを目的としている。
【課題を解決するための手段】
【０００７】  上記の目的を達成するため、この発明は、シリンダ錠を内蔵したシリンダ筒の外板の外側に、全体の形状が半円形の厚板状のシャッター盤の一対を、半円の弦である接合端縁が相互に接合して略円形の円盤を形成し、内筒の鍵孔を覆うことができるように配設し、各シャッター盤の一端を、他端部が相互に拡開して鍵孔を露出できるように支承すると共に、接合端縁が閉じる方向に付勢し、一方、各シャッター盤に外力が作用せず接合端縁が閉じた常態において、シャッター盤の外面における接合線が鍵孔の幅方向と直交するように各シャッター盤の鍵孔回りの角度位置を設定し、他方、常態におけるシャッター盤の外面の接合線の中央部に、接合線に沿いかつ接合線に跨がって、合鍵の鍵先を挿入可能で有底の誘導溝を形成したことを特徴とする。
【発明の効果】
【０００８】  上記のように構成された請求項１に記載の発明は、各シャッター盤に外力が作用しない常態においては、各シャッター盤が相互に接合して鍵孔を覆うので、鍵孔に塵埃や水分などが侵入することを有効に防止する。【０００９】  施解錠のため合鍵を誘導溝中に差し込んでこれを所定の方向に９０度回すと、鍵先の回動により誘導溝が割れると共に、各シャッター盤はその自由端が相互に拡開して鍵孔を露出するように回動する。【００１０】  この状態では合鍵の幅方向と鍵孔の幅方向とが一致するから、この状態で合鍵を鍵孔方向に押動すると、合鍵の先端の傾斜端縁とシャッター盤の誘導溝の底部との間に生じる楔作用により、合鍵はシャッター盤を更に拡開する方向に回動させつつ鍵孔中に進入し、施錠、或いは解錠を可能にする。【００１１】  すなわち、合鍵を誘導溝中に差し込んでこれを所定の方向に９０度回して更に押し込む、という一連の操作により、シャッターと合鍵が点接触をし、円滑かつ確実に鍵孔シャッターを開けることができる。【００１２】  また、施解錠操作終了後合鍵を鍵孔から抜くことにより、各シャッター盤に作用する付勢力により自動的に鍵孔を閉じることができる、等種々の効果を奏する。
【発明を実施するための最良の形態】
【００１３】  シリンダ錠を内蔵したシリンダ筒の外板の外側に、全体の形状が半円形の厚板状のシャッター盤の一対を、半円の弦である接合端縁が相互に接合して略円形の円盤を形成し、て内筒の鍵孔を覆うことができるように配設し、各シャッター盤の一端を、他端部が相互に拡開して鍵孔を露出できるように支承すると共に、接合端縁が閉じる方向に付勢し、一方、常態におけるシャッター盤の外面の接合線の中央部に、接合線に沿いかつ接合線に跨って、合鍵の鍵先を挿入可能で有底の誘導溝を形成したので、常態ではシリンダ錠の鍵孔を覆い、合鍵の鍵先を誘導溝に挿入して抉るように回動させることにより、容易に、かつ確実にシャッターを開けて合鍵を鍵孔に挿入し易くした。
【実施例１】
【００１４】  以下、図面を参照してこの発明の実施例を説明する。
図２において符号１はシリンダ筒を示し、このシリンダ筒１内にシリンダ錠２が内蔵されている。【００１５】  この発明による鍵孔シャッターは、上記シリンダ筒１の外板３の外面側（図２で左側に）設けられている。【００１６】  すなわち、上記外板３の外面側には断面Ｌ字形のスペーサリング４を介して基板５が配設されており、シリンダ筒１にかしめつけられた押え筒６によってシリンダ筒１に固定されている。【００１７】  そして、本発明による鍵孔シャッターの主要な構成部品であるシャッター盤７は上記基板５の外面に回動可能に装着されている。【００１８】  なお、図２において符号８は化粧リングを、符号９は扉面を、符号１０はキーガイドを、符号１１は錠箱を夫々示す。【００１９】  上記シャッター盤７は、図１に示すように、全体の形状が略半円形の厚板状で、図示の実施例では、一対のシャッター盤はシリンダ錠の回動軸を通る鉛直な平面に関し左右対称に構成されている。【００２０】  また、図示の実施例では、各シャッター盤７の上端部の基板５に対する投影形状は、その回動軸Ａを中心とした円弧をなすように設定されている。【００２１】  これは、図１において左側のシャッター盤７が回動軸Ａを中心にして時計方向に、右側のシャッター盤７が反時計方向に回動するとき、上端部が相互に干渉しないようにするためである。【００２２】  更にまた、各シャッター盤７の材質は例えば合成樹脂であるものとし、その一端部（図１で上端部）に小判形のフランジを一体に形成した段付の支軸１２が埋設されている。【００２３】  そして、図２に示すように、支軸１２の小径部が基板５に開口した付番しない軸穴を挿通してシリンダ筒１の外板３方向に突出しており、この突出部に形成された溝に嵌着されたＥリング等の止め輪１３により抜け止めを施された状態で、各シャッター盤７はその一端部を回動可能に基板５に支承されている。【００２４】  一方、図１及び図２に示すように、各シャッター盤の裏側の一端部には円弧状の凹部１４が形成されており、この凹部１４における支軸の大径部に巻装されたねじりコイルばね１５の一端が凹部１４の内壁に掛け止められ、他端は基板５に開口した図示しないばね止め穴に挿し込まれている。【００２５】  上記凹部１４は、また、上記止め輪１３を支軸の小径部に嵌着するときにその通り道としても用いられる。【００２６】  上記した構成により、図１において左側のシャッター盤７は反時計方向に、右側のシャッター盤７は時計方向に夫々付勢されることになる。【００２７】  なお、通常左右のシャッター盤に弾装されるねじりコイルばねの弾力はほぼ同じであるから、ストッパーを設けなくても両シャッター盤７、７の接合線は図１に示すようにほぼ鉛直になるが、必要ならばストッパーを設けると良い。【００２８】  このように、シャッター盤７に外力が作用しない常態においては、シャッター盤７、７は夫々の付勢力により、半円の弦である接合端縁が相互に接合して鍵孔１７（図３参照）を閉じる。【００２９】  また、図４及び図５に示すように、シャッター盤７、７が閉じて鍵孔１７を閉塞するとき接合線１６が鉛直になるとしたのは、図３に示すように内筒の合鍵挿入角度位置における鍵孔の幅方向が水平になる場合に対応させたものであって、鍵孔の幅方向が縦になる場合には、接合線が水平になるようにシャッター盤７、７の配設位置を設定する。【００３０】  一方、図４及び図５に示すように、シャッター盤７に外力が作用しない常態における接合線１６の中央部に、接合線に沿いかつ接合線に跨るようにして、合鍵の鍵先を挿入可能で有底の誘導溝１８が形成されている。【００３１】  図示の実施例では、鍵先を容易に誘導溝に挿入できるように、誘導溝１８の幅（図４で左右方向の寸法）は合鍵の厚さ（図３の鍵孔１７の上下方向の寸法）よりやや大き目に設定されている。【００３２】  また、図示の実施例では、上記遊動溝の長手方向に沿う開口端縁に面取り部１９、１９（図４参照）が形成されており、合鍵の鍵先が厚さ方向にぶれても誘導溝１８中に挿入し易くなっているが、この面取り部１９はこの発明の必須の構成要件ではない。【００３３】  上記のように構成されたこの発明の一実施例による鍵孔シャッターは、図４に示す縦長の誘導溝１８中に合鍵２１（図６参照）の先端部を挿入すると、スルリと入る。【００３４】  その後この合鍵を例えば時計方向に９０度回動させると、シャッター盤７、７の他端部が拡開して鍵孔１７が露出する。【００３５】  更に合鍵を鍵孔方向に押しやると、その先端の傾斜端縁２２、２２と誘導溝１７の底部との間に生じる楔作用によりシャッター盤７、７が更に拡開し、鍵孔１７が全部露出するので合鍵を完全に鍵孔中に挿入することができる。【００３６】  施解錠操作後合鍵を鍵孔から抜けば、各シャッター盤７はねじりコイルばね１５の弾力により図１の角度位置に戻り、鍵孔を閉塞して塵埃などの侵入を防ぐことは前記した通りである。
【実施例２】
【００３７】  図７はこの発明の他の実施例を示し、この実施例は、一対のシャッター盤７、７の支軸１２をシリンダ錠の中心軸を挟んで対称的に設けたものである。【００３８】  なお、この実施例における各シャッター盤７の支軸１２回りの構造は、図１及び図２に示す実施例１による鍵孔シャッターのそれと同様とする。【００３９】  図７に示す鍵孔シャッターは、上記した操作と同じ操作により、図８に示すように開いて鍵孔１７への合鍵の進入を許容する。
【実施例３】
【００４０】  図９及び図１０はこの発明の更に他の実施例を示し、この実施例は、図７及び図８に示す上記他の実施例の構成に加え、誘導溝１８を接合線１６の全長にわたって拡大し、各シャッター盤７の端部を斜に削いで誘導面２３を形成したものである。【００４１】  なお、この実施例における各シャッター盤７の支軸１２回りの構造は、図１及び図２に示す実施例１による鍵孔シャッターのそれと同様とする。【００４２】  図９及び図１０に示す更に他の実施例による鍵孔シャッターは、合鍵使用時図８に示すように開いて鍵孔を露出する。【００４３】  なお、このとき、シャッター盤７、７の上下に漏斗状の案内が形成されるので、この案内部に鍵先を差し入れてその侭上方或いは下方に滑らせることにより、鍵先を誘導溝１８の真ん中に導入することが容易になる、という別の利点が生じる。
【実施例４】
【００４４】  図１１及び図１２はこの発明の別の実施例を示し、この実施例は、図１乃至図４に示す実施例において、支軸１２、１２を下方に配設すると共に、シャッター盤７、７の上方を斜に削いで、図９及び図１０図示のものより広い漏斗状の案内部を形成したものである。【００４５】  なお、この実施例における各シャッター盤７の支軸１２回りの構造は、図１及び図２に示す実施例１による鍵孔シャッターのそれと同様とする。【００４６】  図１１及び図１２に示すこの発明の別の実施例による鍵孔シャッターは、図３に示すように八の字形ではなくＶ字形に開いて鍵孔を露出する（図示せず）。
【実施例５】
【００４７】  図１３及び図１４はこの発明の更に別の実施例を示し、この実施例は、図１１及び図１２に示すこの発明の別の実施例の構成に加え、誘導溝１８の下半分を実体部で閉塞したものである。【００４８】  なお、この実施例における各シャッター盤７の支軸１２回りの構造は、図１及び図２に示す実施例１による鍵孔シャッターのそれと同様とする。【００４９】  図１３及び図１４に示すこの発明の更に別の実施例は、鍵先を漏斗状の案内部に差し入れてその侭下方に滑らせることにより、鍵先が誘導溝の下端に当接するので、接合線１６の長さ方向における鍵先の位置決めが容易になる、という別の利点が生じる。
【図面の簡単な説明】
【００５０】
【図１】  この発明の一実施例による鍵孔シャッターの正面図。
【図２】  その縦断面図。
【図３】  シャッター盤が開いた状態を示す図１と同様の正面図。
【図４】  図１と同様の正面図。
【図５】  図４のＩＶ−ＩＶ線による断面図。
【図６】  合鍵の先端部の平面図。
【図７】  この発明の他の実施例による鍵孔シャッターの正面図。
【図８】  その作動状態を示す正面図。
【図９】  この発明の更に他の実施例による鍵孔シャッターの正面図。
【図１０】  そのシャッター盤の平面図。
【図１１】  この発明の別の実施例による鍵孔シャッターの正面図。
【図１２】  そのシャッター盤の平面図。
【図１３】  この発明の別の実施例による鍵孔シャッターの正面図。
【図１４】  そのシャッター盤の平面図。
【符号の説明】
【００５１】１  シリンダ筒
２  シリンダ錠
３  外板
４  スペーサリング
５  基板
６  押え筒
７  シャッター盤
８  化粧リング
９  扉面
１１  錠箱
１２  支軸
１３  止め輪
１４  凹部
１５  ねじりコイルばね
１６  接合線
１７  鍵孔
１８  誘導溝
１９  面取り部
２１  合鍵
２２  傾斜端縁
２３  誘導面
【図１】
2008069618.tif 000003
【図２】
2008069618.tif 000004
【図３】
2008069618.tif 000005
【図４】
2008069618.tif 000006
【図５】
2008069618.tif 000007
【図６】
2008069618.tif 000008
【図７】
2008069618.tif 000009
【図８】
2008069618.tif 000010
【図９】
2008069618.tif 000011
【図１０】
2008069618.tif 000012
【図１１】
2008069618.tif 000013
【図１２】
2008069618.tif 000014
【図１３】
2008069618.tif 000015
【図１４】
2008069618.tif 000016